(57)【要約】  本発明は、並列接続されている複数のジェネレータユニットを備えたシステムにおいてアドレスを設定するための方法および装置に関する。第１のジェネレータユニットは開始信号の受信後に自身に個別的なアドレスを割り当て、識別信号を自身の制御信号出力側に出力する。別のジェネレータユニットはそれぞれ自身の前段に接続されているジェネレータユニットの制御信号出力側に出力される識別信号を受信し、それぞれ受信した識別信号に依存する個別的なアドレスを自身に割り当てる。
2009524385.tif 000002
【特許請求の範囲】
【請求項１】
第１のジェネレータユニットと該第１のジェネレータユニットに並列に配置されている少なくとも１つの別のジェネレータユニットとを備えたシステムにおけるアドレス設定方法であって、
各ジェネレータユニットは制御信号入力側および制御信号出力側を有し、前記別のジェネレータユニット各々の制御信号入力側は異なるジェネレータユニットの制御信号出力側と接続されている形式のアドレス設定方法において、
前記第１のジェネレータユニット（１）が開始信号（ｓ１）の受信後に自身の制御入力側（Ｉｎ１）に印加される制御信号（ｓ３）に基づき自身に個別的なアドレスを割り当て、第１の識別信号（ｋ１）を自身の制御信号出力側（Ｏｕｔ１）に出力し、
前記別のジェネレータユニット（２，３，４）がそれぞれ自身の前段に接続されているジェネレータユニットの制御信号出力側に出力される識別信号（ｋ１，ｋ２，ｋ３）を受信し、それぞれ受信した識別信号に依存する個別的なアドレスを自身に割り当てることを特徴とする、アドレス設定方法。
【請求項２】
前記第１のジェネレータユニットの制御信号入力側に供給される前記制御信号（ｓ３）は所定の電圧レベルを有する、請求項１記載の方法。
【請求項３】
前記第１のジェネレータユニットは前記制御信号（ｓ３）の受信後に自身がジェネレータユニットの並列動作に関するマスタであることを識別する、請求項１または２記載の方法。
【請求項４】
ジェネレータユニットはデータバスを介して自身の個別的なアドレスを制御装置に伝送する、請求項１から３までのいずれか１項記載の方法。
【請求項５】
ジェネレータユニットは自身の個別的なアドレスを、前記制御装置から出力された問い合わせ信号の受信後に、前記データバスを介して前記制御装置に伝送する、請求項４記載の方法。
【請求項６】
請求項１から５までのいずれか１項記載の方法を実施する装置において、
第１のジェネレータユニット（１）と、
前記第１のジェネレータユニット（１）に並列に配置されている少なくとも１つの別のジェネレータユニット（２，３，４）とを有し、
各ジェネレータユニット（１，２，３，４）が制御信号入力側（Ｉｎ１，Ｉｎ２，Ｉｎ３，Ｉｎ４）と、制御信号出力側（Ｏｕｔ１，Ｏｕｔ２，Ｏｕｔ３，Ｏｕｔ４）と、データインタフェース（Ｃ１，Ｃ２，Ｃ３，Ｃ４）とを有する装置において、
前記別のジェネレータユニット（２，３，４）の制御信号入力側（Ｉｎ２，Ｉｎ３，Ｉｎ４）が前段に接続されているジェネレータユニットの制御信号出力側（Ｏｕｔ１，Ｏｕｔ２，Ｏｕｔ３）とそれぞれ接続されていることを特徴とする、装置。
【請求項７】
さらにデータバス（６）を有し、該データバス（６）には各ジェネレータユニットの前記データインタフェースが接続されている、請求項６記載の装置。
【請求項８】
各ジェネレータユニットの前記データインタフェースが前記データバスを介して制御装置（５）と接続されている、請求項７記載の装置。
【請求項９】
各ジェネレータユニットがそれぞれ１つの調整器および１つのジェネレータを有し、個別的なアドレスの自己割り当てをそれぞれのジェネレータユニットの前記調整器によって行い、該調整器は前記データバスを介して前記個別的なアドレスを前記制御装置に伝送する、請求項８記載の装置。
【請求項１０】
前記調整器が前記個別的なアドレスを、前記制御装置から出力された問い合わせ信号の受信後に、前記データバスを介して前記制御装置に伝送する、請求項９記載の装置。
【請求項１１】
並列に接続されているジェネレータユニットは車両搭載電源の負荷に給電電圧を供給する、請求項６から１０までのいずれか１項記載の装置。
【発明の詳細な説明】
【技術分野】
【０００１】
本発明は、相互に並列に配置されている複数のジェネレータユニットを備えたシステムにおけるアドレス設定方法およびアドレス設定装置に関する。この種の並列に接続されているジェネレータユニットを用いることにより、例えば自動車においては搭載電源の負荷に対して給電電圧を供給することができる。
【０００２】
従来技術
自動車の電気的な搭載電源がジェネレータを使用して給電を行うことは公知である。
【０００３】
さらには所定の車両、例えば安全車両、救急車両および輸送用車両の搭載電源は必要とされる出力要求および／または給電に関して必要とされる安全性を保証するために少なくとも２つのジェネレータを使用してエネルギを給電している。
【０００４】
ジェネレータの摩耗、またしたがってジェネレータの寿命は複数の要因に依存している。それらの要因の内の１つは電気的な負荷である。ジェネレータの電気的な負荷が大きくなればなるほど、ジェネレータの摩耗が大きくなり、また寿命が短くなる。したがって使用されるジェネレータの負荷を用途固有のストラテジに応じて制御できることが望ましい。用途固有のストラテジとは例えば一様な負荷または負荷の非常に片寄った分配である。
【０００５】
DE 10 2005 12 270.1には、複数のジェネレータを使用して車両搭載電源の負荷に給電電圧を供給するための方法および装置が記載されている。各ジェネレータには少なくとも１つの出力段トランジスタを有する制御ユニットが対応付けられている。ジェネレータの負荷の度合を一致させるために、制御ユニットの内の１つにおいてパルス幅変調された制御信号、またはその制御信号から導出される、パルス幅変調された信号のデューティ比を表す制御信号が形成され、全ての制御ユニットの出力段トランジスタに供給される。
【０００６】
さらにDE 41 08 861 A1からは並列に接続されているジェネレータを備えた装置が公知である。この公知の装置においてはジェネレータのそれぞれに電圧調整器が対応付けられている。さらにこの公知の装置は、点火スイッチを介して電圧調整器と接続可能な端子を備えた少なくとも１つのバッテリを有する。さらに充電制御装置が設けられており、この充電制御装置は点火スイッチおよび電圧調整器と接続されており、また有利には接地されているバッテリの負極側端子とスイッチング手段を介して接続することができる。充電制御装置と、電圧調整器と、前述のスイッチング手段との間に、一方の方向においては導通特性を有し、他方の方向においては阻止特性を有する複数の構成素子を有する回路装置が設けられている。公知の装置によって、２つのジェネレータを使用して高い電力を生成し、また唯一の表示部、例えば充電制御ランプを用いて２つのジェネレータ電圧制御システムの一方に発生したエラーを示し、他方のジェネレータ電圧制御システムを問題なくさらに動作させることが達成されるべきである。
【０００７】
発明の利点
これに対して請求項１に記載されている特徴を備えた方法および請求項６に記載されている特徴を備えた装置は、全体のシステムに属する個々のジェネレータユニットがそれぞれ固有の個別的なアドレスを有するという利点を有する。この固有の個別的なアドレスに基づきアドレスを異ならせることができ、また必要に応じて個別的に問い合せることができる。この個別的な問い合わせを制御装置によって行うことができ、この制御装置はデータバスを介してジェネレータユニットと接続されている。例えば、制御装置は診断問い合わせをジェネレータユニットに送信する。ジェネレータユニットは、制御装置に診断に関連するデータを個別的なアドレスと共に返送することによってこの制御装置に応答する。
【０００８】
本発明の特別な利点は、アドレス設定のために外部の符号化、また例えば回路を構成する際に既に設定しなければならいであろう外部の配線を必要としないことである。本発明においては、ジェネレータユニットが開始信号の受信後にそれぞれ自身で且つ自動的に１つの個別的なアドレスを割り当てる。このことは、第１のジェネレータユニットが開始信号および自身の制御信号入力側に印加される制御信号ｓ３の受信後に自身に個別的なアドレスを割り当て、第１の識別信号を自身の制御信号出力側に出力し、また別のジェネレータユニットそれぞれが自身の前段に接続されているジェネレータユニットの制御信号出力側において出力される識別信号を受信し、それぞれ受信した識別信号に依存する個別的なアドレスをそれぞれ割り当てることによって行われる。
【０００９】
簡単に実現することができる実施形態においては、第１のジェネレータユニットの制御信号入力側に制御信号ｓ３として所定の電圧レベルが供給される。
【００１０】
専ら第１のジェネレータユニットに供給されるこの所定の電圧レベルに基づき、第１のジェネレータユニットは、ジェネレータユニットの並列動作の枠内においてマスタ機能を担うタスクを有していることを識別する。さらに、第１のジェネレータユニットは所定の電圧レベルの受信後に自身に個別的なアドレスを割り当てる。
【００１１】
請求項４および５の特徴によれば、ジェネレータユニットはそれぞれデータバスを介して自身の個別的なアドレスを制御装置に伝送する。この伝送を、それぞれのジェネレータユニットが自身に個別的なアドレスを割り当てた後に、または全てのジェネレータユニットが自身に個別的なアドレスを割り当てた後に自動的に行うことができる。これに択一的に、制御装置は開始信号の発生後に所定の期間が経過するとデータバスを介して問い合わせ信号を自動的に出力することができ、この問い合わせ信号をジェネレータユニットが受信し、相応に応答する。
【００１２】
このアドレス伝送によって制御装置にどれ程多くのジェネレータユニットを並列動作のために使用できるか、またどのアドレスがこれらのジェネレータユニットのそれぞれに割り当てられているかが既知になると、制御装置は後の動作において、データバスを介してジェネレータユニットそれぞれを別個にアドレッシングし、それぞれのジェネレータユニットに問い合わせまたは命令を伝送するか、それぞれのジェネレータユニットからデータを呼び出すためにこの認識を使用する。
【００１３】
本発明の別の有利な特徴は図面に基づく本発明の例示的な説明から明らかになる。
【００１４】
図面
図１は、本発明によるアドレス設定を説明するためのブロック回路図を示す。図２は、図１の第１のジェネレータユニット１の詳細を示す。
【００１５】
実施例の説明
図１は、本発明によるアドレス設定を説明するためのブロック回路図を示す。
【００１６】
このブロック回路図においては第１のジェネレータユニット１、第２のジェネレータユニット２、第３のジェネレータユニット３および第４のジェネレータユニット４が記載されている。これらのジェネレータユニットは車両搭載電源の負荷に対して給電電圧を供給する機能に関して相互に並列に接続されている。
【００１７】
第１のジェネレータユニット１にはパルス幅変調された制御信号ＰＷＭ１、第２のジェネレータユニット２にはパルス幅変調された制御信号ＰＷＭ２、第３のジェネレータユニット３にはパルス幅変調された制御信号ＰＷＭ３、また第４のジェネレータユニット４にはパルス幅変調された制御信号ＰＷＭ４がそれぞれ供給される。図１には示されていない信号源から供給されるこれらのパルス幅変調された信号はそれぞれのジェネレータユニットの調整器によってジェネレータ制御信号に変換され、それぞれのジェネレータユニットのジェネレータに供給される。
【００１８】
このジェネレータは自身に供給されたジェネレータ制御信号に依存して出力側に電圧実際値を出力する。この電圧実際値はそれぞれのジェネレータユニットの給電出力側における正の給電電圧の形で存在する。
【００１９】
図１から見て取れるように、ジェネレータユニットの給電出力側には正の給電電圧Ｂ＋1，Ｂ＋2，Ｂ＋3およびＢ＋4が印加される。これらの給電出力側は相互に接続されているので、供給される総給電電圧はジェネレータユニット１，２，３および４から供給される給電電圧の和である。複数のジェネレータユニットのこの並列回路によって、動作時に必要とされる出力要求、また車両搭載電源の負荷への給電に関して必要される安全性が満たされていることが保証されている。
【００２０】
図１に示されている装置の動作時に、ジェネレータユニットないしジェネレータは摩耗する。この理由から、個々のジェネレータを監視し、ジェネレータの状態に関する情報を得ることが非常に重要である。これらの情報は例えば、ジェネレータが故障している、ジェネレータがもはや回転しないほどの過温が存在する、などを内容とする。必要であれば、所望の給電をさらに保証するために、これらの情報に基づきジェネレータを交換することも考えられる。
【００２１】
この監視ないし診断のために、並列動作中に個々のジェネレータユニットには制御装置５からデータインタフェースＣ５およびデータバス６を介して問い合わせ信号が供給される。この問い合わせ信号に対する応答としてそれぞれのジェネレータユニットはデータバス６を介してそれぞれのジェネレータユニットのジェネレータの状態を表すデータを制御装置に伝送する。
【００２２】
このように問い合わせ信号をそれぞれのジェネレータユニットに伝送する際、またジェネレータの状態を表すデータを伝送する際に前述の有効データはそれぞれのジェネレータユニットを特定する、したがってそれぞれのジェネレータも特定する個別的なアドレスと共に伝送される。
【００２３】
ジェネレータユニットのこれらの個別的なアドレスは本発明においては以下のように規定ないし設定される。
【００２４】
開始過程の後に、図１に示した実施例では制御装置５である制御信号発生器から開始信号ｓ１が出力される。開始過程は例えば機関の再始動後、またシステムがリセットされる度に行われる。例えば、開始過程は誤機能の発生後に実施される。
【００２５】
開始信号ｓ１は図示した実施例においては制御装置５の出力側Ｓにおいて出力される。
【００２６】
この開始信号ｓ１は第１のジェネレータユニット１の制御信号入力側Ｉｎ１に供給される。このジェネレータユニット１の調整器は開始信号ｓ１の存在を識別し、ジェネレータユニット１にはその制御信号入力側Ｉｎ１を介してアドレス設定開始信号ｓ２および所定の制御信号ｓ３が供給されるか否かを検査する。制御信号ｓ３は例えば所定の電圧レベルである。アドレス設定開始信号ｓ２および制御信号ｓ３が存在する場合には、第１のジェネレータユニット１の調整器は自身に、もしくは第１のジェネレータユニット１に個別的なアドレス、例えばアドレス「１」を割り当てる。さらに第１のジェネレータユニット１の調整器は制御信号ｓ３に基づき、ジェネレータの後続の並列動作のためにマスタの機能を担うべきことを識別する。さらに、第１のジェネレータユニット１の調整器はこの第１のジェネレータユニット１の制御信号出力側Ｏｕｔ１に識別信号ｋ１を供給する。
【００２７】
この識別信号ｋ１は、自身にアドレス「１」を割り当てたジェネレータユニットに由来することに関する情報を含み、また第２のジェネレータユニット２の制御信号入力側Ｉｎ２に印加される。この第２のジェネレータユニット２の調整器は識別信号ｋ１の存在を識別し、自身に、もしくは第２のジェネレータユニット２に個別的なアドレス、例えばアドレス「２」を割り当てる。さらに第２のジェネレータユニット２の調整器は識別信号ｋ１に基づき、ジェネレータの後続の並列動作のためにスレーブ機能を担うべきことを識別する。さらに、第２のジェネレータユニット２の調整器はこの第２のジェネレータユニット２の制御信号出力側Ｏｕｔ２に識別信号ｋ２を供給する。
【００２８】
この識別信号ｋ２は、自身にアドレス「２」を割り当てたジェネレータユニットに由来することに関する情報を含み、また第３のジェネレータユニット３の制御信号入力側Ｉｎ３に印加される。この第３のジェネレータユニット３の調整器は識別信号ｋ２の存在を識別し、自身に、もしくは第３のジェネレータユニット３に個別的なアドレス、例えばアドレス「３」を割り当てる。さらに第３のジェネレータユニット３の調整器は識別信号ｋ２に基づき、ジェネレータの後続の並列動作のためにスレーブ機能を担うべきことを識別する。さらに、第３のジェネレータユニット３の調整器はこの第３のジェネレータユニット３の制御信号出力側Ｏｕｔ３に識別信号ｋ３を供給する。
【００２９】
この識別信号ｋ３は、自身にアドレス「３」を割り当てたジェネレータユニットに由来することに関する情報を含み、また第４のジェネレータユニット４の制御信号入力側Ｉｎ４に印加される。この第４のジェネレータユニット４の調整器は識別信号ｋ３の存在を識別し、自身に、もしくは第４のジェネレータユニット４に個別的なアドレス、例えばアドレス「４」を割り当てる。さらに第４のジェネレータユニット４の調整器は識別信号ｋ３に基づき、ジェネレータの後続の並列動作のためにスレーブ機能を担うべきことを識別する。さらに、第４のジェネレータユニット４の調整器はこの第４のジェネレータユニット４の制御信号出力側Ｏｕｔ４に識別信号ｋ４を供給する。
【００３０】
ジェネレータユニットのアドレスはそれぞれのジェネレータユニットからそれぞれのデータインタフェースＣ１，Ｃ２，Ｃ３，Ｃ４およびデータバス６を介して制御装置５に伝送され、この制御装置５に記憶される。
【００３１】
それぞれのジェネレータユニットが個別的なアドレスを割り当てたか、全てのジェネレータユニットが個別的なアドレスを割り当てると、ジェネレータユニットから制御装置５にアドレスを自動的に伝送することもできる。これに択一的に、制御装置５は開始信号の発生後に所定の期間が経過すると、データバスを介して問い合わせ信号を送信し、この問い合わせ信号にジェネレータユニットが応答し、制御装置にはジェネレータユニットが存在し、どのアドレスをそれぞれ有しているかがシグナリングされる。
【００３２】
機関が始動される度に、またシステムがリセットされる度にアドレスを新たに割り当てることはフレキシブルな並列動作の利点も有する。例えば、サービス作業の範囲においてジェネレータユニットのうちの１つを取り除くことが考えられる。この取り除きはアドレスの次回の再割り当ての際に識別される。何故ならば、３つのジェネレータユニットしかアドレス信号を制御装置に返送しないからである。ジェネレータユニットがその制御信号入力側および制御信号出力側に関して、遮断されていてはならない直列回路を形成していればよい。例えば、第３のジェネレータユニット３を取り除く場合には、第２のジェネレータユニット２の制御信号出力側Ｏｕｔ２が第４のジェネレータユニットの制御信号入力側Ｉｎ４と接続されればよい。
【００３３】
さらにサービス作業の範囲においては、付加的なジェネレータユニットを接続することも考えられる。この付加がアドレスの次回の再割り当ての際に識別される。何故ならば、ここでは５つのジェネレータユニットがアドレス信号を制御装置に返送するからである。ジェネレータユニットがその制御信号入力側および制御信号出力側に関して、遮断されていてはならない直列回路を形成していればよい。例えば、第５のジェネレータユニットが付加される場合には、第４のジェネレータユニット４の制御信号出力側Ｏｕｔ４が第５のジェネレータユニットの制御信号入力側と接続されればよい。
【００３４】
前述の実施例においては、開始信号ｓ１およびアドレス設定開始信号ｓ２が制御装置５の出力側Ｓに供給された。図１には示していない別の実施形態によれば、開始信号ｓ１を別の開始信号発生器によって供給し、データインタフェースＣ１を介して第１のジェネレータユニット１に供給することができる。同様に、アドレス設定開始信号ｓ２もデータインタフェースＣ１を介して第１のジェネレータユニット１に供給することができる。
【００３５】
上述の実施例においては、開始信号を制御信号出力側Ｏｕｔ１，Ｏｕｔ２，Ｏｕｔ３およびＯｕｔ４に出力する時点にはローレベル信号が存在する。これに択一的に、開始信号を制御信号出力側Ｏｕｔ１，Ｏｕｔ２，Ｏｕｔ３およびＯｕｔ４に出力する時点に別の信号が存在していても良いが、この別の信号は制御信号ｓ３と異なっていなければならない。
【００３６】
図２は、図１の第１のジェネレータユニット１の詳細を示す。
【００３７】
ジェネレータユニット１は１つの調整器７および１つのジェネレータ８を有する。調整器７は集積回路の形で実現されているか、離散的な構成素子を備えた回路の形で構成されている。
【００３８】
調整器７には入力信号として、ジェネレータユニット１の制御信号入力側Ｉｎ１に印加される開始信号ｓ１、アドレス設定開始信号ｓ２および制御信号ｓ３が供給される。後続の並列動作においては、調整器７にパルス幅変調された制御信号ＰＷＭ１が供給される。調整器７は（開始信号ｓ１およびアドレス設定開始信号ｓ２また制御信号入力側Ｉｎ１に印加される制御信号ｓ３が発端となって）自身もしくはジェネレータユニット１がマスタであると識別し、自身に個別的なアドレスを割り当てる。さらに調整器７は識別信号ｋ１を形成し、この識別信号ｋ１を第１のジェネレータユニット１の制御出力信号Ｏｕｔ１に供給する。さらにデータインタフェースＣ１およびデータバス６を介して、調整器が自身にもしくはジェネレータユニット１に割り当てたアドレスの制御装置への伝送が行われる。
【００３９】
さらに後続の並列動作においては、データインタフェースＣ１を介して制御装置の問い合わせ信号が調整器７に伝送され、制御装置によって問い合わせられた診断データが調整器７からデータインタフェースＣ１およびデータバス６を介して制御装置に伝送される。
【００４０】
さらに調整器７は後の並列動作においてジェネレータ８にジェネレータ制御信号ｇを供給する。ジェネレータはこのジェネレータ制御信号ｇに応答して出力側に直流電圧実際値ＵIst1を供給する。この直流電圧実際値ＵIst1は調整器７に返送され、この調整器７において調整過程の意味において新たなジェネレータ制御信号ｇを求めるために使用される。さらに直流電圧実際値ＵIst1は第１のジェネレータユニットの出力側において正の給電直流電圧Ｂ＋1として供給される。
【００４１】
さらに調整器７は並列動作時に端子、有利には端子Ｏｕｔ１を介してジェネレータ８の負荷度合を表す信号を出力する。
【００４２】
ジェネレータユニット２，３および４の構造はジェネレータユニット１の構造と一致するので、図示した実施例において並列接続されている４つの同一の構造のジェネレータユニットは自動車搭載電源の負荷に対する給電直流電圧の供給に寄与する。
【００４３】
これらのジェネレータユニットは開始過程が終了する度に自身に個別的なアドレスを割り当てる。先ず第１のジェネレータユニットは自身に個別的なアドレスを割り当て、自身の制御信号出力側に第１の識別信号を出力する。別のジェネレータユニットはそれぞれ自身の前段に接続されているジェネレータユニットの制御信号出力側に出力される識別信号を受信し、この識別信号の受信に応答してそれぞれの識別信号に依存する個別的なアドレスを自身に割り当てる。
【００４４】
上述の実施例においては、並列接続されている４つのジェネレータユニットが給電直流電圧の供給に寄与する。これに択一的に、全部で２，３，５，６個またはそれよりも多くの数の並列接続されたジェネレータユニットを所望の給電直流電圧の供給に使用することができる。
【００４５】
上述の実施例においては識別信号がどのジェネレータユニットに由来するかに関する情報をそれぞれ包含し、識別信号を受信するジェネレータユニットの調整器は受信した識別信号とは異なる個別的なアドレス、例えば次に大きい数を自身に割り当てる。
【００４６】
択一的な実施形態によれば、識別信号はこの識別信号を受信するジェネレータユニットがどのアドレスを有するべきかに関する情報を包含する。この場合、識別信号を受信するジェネレータユニットの調整器は自身に、もしくはこの識別信号を受信するジェネレータユニットに、識別信号を出力したジェネレータユニットによって設定されたアドレスを割り当て、出力側に新たな識別信号を供給する。新たな識別信号は、この新たな識別信号を受信するジェネレータユニットがどのアドレスを有するべきかに関する情報を包含する。
【００４７】
上述の実施例においては、並列動作時にジェネレータユニットそれぞれに別個の入力側を介してパルス幅変調された制御信号が供給される。これに択一的に、上述のアドレス設定を初期化フェーズの間に実施し、この初期化フェーズの終了後に後続の並列動作のために制御信号入力側および制御信号出力側の機能を変更することも考えられる。つまり並列動作にジェネレータユニット１は自身の制御信号出力側Ｏｕｔ１にパルス幅変調された制御信号を出力することができる。他の全てのジェネレータユニットはこの信号を自身の制御信号入力側において受信し、変更せずに自身の制御信号出力側に再び出力する。これによってジェネレータの負荷度合を一致させることができる。
【００４８】
さらに上述の実施例において信号ｓ１およびｓ２は異なる時点に発生する信号である。本発明の別の実施形態によれば、開始信号として使用され、またそれと同時にアドレス設定信号としても使用される単一の信号しか存在しない。
【図面の簡単な説明】
【００４９】
【図１】本発明によるアドレス設定を説明するためのブロック回路図を示す。
【図２】図１の第１のジェネレータユニット１の詳細を示す。
【図１】
2009524385.tif 000003
【図２】
2009524385.tif 000004
【国際調査報告】
2009524385.tif 000005
2009524385.tif 000006
2009524385.tif 000007
2009524385.tif 000008
2009524385.tif 000009
2009524385.tif 000010